(57)【要約】【課題】  患者の情報を管理する情報処理装置において、医療機器にて測定された測定データを確実に取得できるようにする。【解決手段】  測定データを管理する情報処理装置１１０であって、測定データ管理プログラムの起動指示を受け付ける手段と、前記起動指示を受け付けた場合に初期ウィンドウを表示部に表示するとともに、表示部の表示輝度を落とすよう制御する手段と、血糖計１２０を載置する載置台１３０を介して血糖計１２０の測定データを取得可能な状態にあるか否かを判定する手段と、を備え、情報処理装置１１０が起動されてから、測定データを取得可能な状態にあると判定されるまでの間、前記表示部の表示輝度を落とすよう制御し、測定データを取得可能な状態にあると判定された後は、前記表示部の表示輝度を、通常の表示輝度に戻すよう制御することを特徴とする。【選択図】  図１
2013205881.tif 000002
【特許請求の範囲】
【請求項１】
医療機器において測定された測定データを管理する情報処理装置であって、
前記測定データを管理するためのプログラムの起動指示を受け付けた場合に、表示すべき表示画面を表示部に表示するとともに、該表示部の表示輝度を制御する表示制御手段と、
前記医療機器において測定された測定データを受信するための装置と通信可能に接続された状態にあり、かつ、該医療機器において測定された測定データを、該装置を介して入力・記憶することが可能な状態にあるか否かを判定する判定手段と、を備え、
前記表示制御手段は、前記情報処理装置が起動されてから、前記判定手段において、前記装置を介して入力・取得することが可能な状態にあると判定されるまでの間、前記表示部の前記表示輝度を落とすよう制御し、前記装置を介して入力・記憶することが可能な状態にあると判定された後は、前記表示部の前記表示輝度を、通常の表示輝度に戻すよう制御することを特徴とする情報処理装置。
【請求項２】
前記表示制御手段は、前記起動指示を受け付けた場合に、前記表示画面を前記表示部に全画面表示するよう制御することを特徴とする請求項１に記載の情報処理装置。
【請求項３】
前記表示制御手段は、前記判定手段において、前記装置を介して入力・記憶することが可能な状態にあると判定された後は、全画面表示された前記表示画面を所定のサイズに変更するよう制御することを特徴とする請求項２に記載の情報処理装置。
【請求項４】
前記判定手段において、前記装置を介して入力・記憶することが可能な状態にあると判定されるまでの間、前記表示画面への入力ができないように制御し、前記装置を介して入力・記憶することが可能な状態にあると判定された後は、前記表示画面への入力ができるように制御する操作制御手段を更に備えることを特徴とする請求項１乃至３のいずれか１項に記載の情報処理装置。
【請求項５】
請求項１乃至４のいずれか１項に記載の情報処理装置と、
前記医療機器において測定された測定データを受信するための装置と、
を備えることを特徴とする情報処理システム。
【請求項６】
医療機器において測定された測定データを管理するプログラムであって、コンピュータを、
前記測定データを管理するためのプログラムの起動指示を受け付けた場合に、表示すべき表示画面を表示部に表示するとともに、該表示部の表示輝度を制御する表示制御手段と、
前記医療機器において測定された測定データを受信するための装置と通信可能に接続された状態にあり、かつ、該医療機器において測定された測定データを、該装置を介して入力・記憶することが可能な状態にあるか否かを判定する判定手段として機能させ、
前記表示制御手段は、前記情報処理装置が起動されてから、前記判定手段において、前記装置を介して入力・取得することが可能な状態にあると判定されるまでの間、前記表示部の前記表示輝度を落とすよう制御し、前記装置を介して入力・取得することが可能な状態にあると判定された後は、前記表示部の前記表示輝度を、通常の表示輝度に戻すよう制御することを特徴とするプログラム。
【発明の詳細な説明】
【技術分野】
【０００１】
本発明は、医療機器にて測定されたデータを管理する情報処理システム及び情報処理装置ならびにプログラムに関するものである。
【背景技術】
【０００２】
従来より、医療機器にて測定された測定データを情報処理装置に送信し、該情報処理装置にて一括管理する情報処理システムが知られている。
【０００３】
例えば、病院内において、患者の情報を管理する情報処理装置と有線接続された専用台上に、血糖計を載置させることで、該専用台が、該血糖計を用いて測定された患者の血糖値データを読み出し、情報処理装置に送信する情報処理システムが知られている（非特許文献１参照）。
【０００４】
当該情報処理システムによれば、従来のように、血糖計において測定された血糖値データを、医療従事者が書類に転記する必要がなくなり、医療従事者の作業負荷を大幅に軽減させることが可能となる。
【先行技術文献】
【非特許文献】
【０００５】
【非特許文献１】“糖尿病医療関係者向け情報”、［online]、[平成２４年２月６日検索]、インターネット＜ＵＲＬ：http://terumo.co.jp/mds/professionals/products/mdfp01.html＞
【発明の概要】
【発明が解決しようとする課題】
【０００６】
しかしながら、上記情報処理システムの場合、血糖計を専用台に載置するにあたり、予め、情報処理装置側にて専用のアプリケーションを起動させておく必要がある。当該専用のアプリケーションを動作させることにより、情報処理装置と専用台との間の通信を成立させ、情報処理装置が専用台を介して血糖計の血糖値データを取得・記憶できるようにするためである。
【０００７】
一方で、病院内において患者の情報を管理する情報処理装置は、その仕様や動作環境が様々であり、装置仕様や動作環境によっては、上記専用のアプリケーションの起動に時間がかかったり、動作が不安定になったりすることもある。
【０００８】
そして、このようなタイミングで専用台に血糖計が載置されてしまうと、専用台において受信した血糖計の血糖値データが、情報処理装置に正しく送信されなかったり、あるいは送信中に情報処理装置がフリーズし、送信された血糖値データが情報処理装置内に正しく記憶（格納）されなかったりといった事態が生じ得る。このような場合、患者ごとに割当てられた血糖計の血糖値データが情報処理装置内のデータベースに記憶されないこととなる。
【０００９】
このようなことから、医療機器にて測定された測定データ（血糖値データのほか、血圧値データ、体温値データ等の生体情報を含む）を、情報処理装置に送信するにあたっては、情報処理装置側にて、測定データを確実に取得・記憶できる状況が整った場合にのみ、測定データの送信が行われる（すなわち、医療機器が専用台に載置されるようにする）構成となっていることが望ましい。
【００１０】
本発明は上記課題に鑑みてなされたものであり、患者の情報を管理する情報処理装置において、医療機器にて測定された測定データを確実に取得・記憶できるようにすることを目的とする。
【課題を解決するための手段】
【００１１】
上記の目的を達成するために、本発明に係る情報処理装置は以下のような構成を備える。即ち、
医療機器において測定された測定データを管理する情報処理装置であって、
前記測定データを管理するためのプログラムの起動指示を受け付けた場合に、表示すべき表示画面を表示部に表示するとともに、該表示部の表示輝度を制御する表示制御手段と、
前記医療機器において測定された測定データを受信するための装置と通信可能に接続された状態にあり、かつ、該医療機器において測定された測定データを、該装置を介して入力・記憶することが可能な状態にあるか否かを判定する判定手段と、を備え、
前記表示制御手段は、前記情報処理装置が起動されてから、前記判定手段において、前記装置を介して入力・取得することが可能な状態にあると判定されるまでの間、前記表示部の前記表示輝度を落とすよう制御し、前記装置を介して入力・記憶することが可能な状態にあると判定された後は、前記表示部の前記表示輝度を、通常の表示輝度に戻すよう制御することを特徴とする。
【発明の効果】
【００１２】
本発明によれば、患者の情報を管理する情報処理装置において、医療機器にて測定された測定データを確実に取得・記憶できるようになる。
【図面の簡単な説明】
【００１３】
【図１】本発明の一実施形態にかかる情報処理システムの全体構成を示す図である。
【図２】情報処理装置の構成を示す図である。
【図３】情報処理システムにおける処理の流れを示すシーケンス図である。
【図４】測定データ管理用プログラムによる起動時表示処理の流れを示すフローチャートである。
【図５】起動時表示処理が実行された場合の、情報処理装置の表示部の表示例を示す図である。
【発明を実施するための形態】
【００１４】
以下、本発明の各実施形態について図面を参照しながら、患者の生体情報である血糖値データを例にして説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００１５】
［第１の実施形態］
＜１．情報処理システムの全体構成＞
はじめに、本実施形態に係る情報処理システムの全体構成について説明する。図１は、本実施形態に係る情報処理システム１００の全体構成を示す図である。図１において、１１０は情報処理装置であり、患者の情報（患者名、性別、年齢、ＩＤ、血糖値データ・血圧値データ・体温値データ等の生体情報）を記憶・管理する。１２０は血糖計であり、患者の血糖値を測定し、表示する。なお、血糖計１２０は、データ通信機能（例えば、近距離無線通信機能）を備えており、測定した血糖値データを外部に送信することができるよう構成されているものとする。
【００１６】
なお、当該データ通信機能は、１０ｃｍ程度までの近距離の非接触通信手段（例えば、ＩＳＯ／ＩＥＣ  １４４４３の省電力ＩＣ通信技術、ＩＳＯ／ＩＥＣ  １８０９２の通信技術、ＦｅｌｉＣａ（登録商標））により構成されているものとする。当該データ通信機能を用いることにより、医師等が取り扱う病院内の専用端末に接続されたＲＦＩＤリーダ／ライタとの間で通信を行うことができる。例えば、ＦｅｌｉＣａ（登録商標）を用いた場合、１３．５６ＭＨｚの電波を介して、１０ｃｍ程度までの近距離で、非接触の状態で、１００〜４００ｋｂｐｓの通信を行うことができる。
【００１７】
１３０は、血糖計１２０を載置することで、患者に対応した血糖値データを読み取るための載置台である。載置台１３０は、血糖計１２０が載置された場合に、上述のデータ通信機能により、血糖計１２０より送信された血糖値データを受信する。また、血糖計１２０に貼付されたバーコード（血糖計１２０を識別するためのバーコード）を読み取り、血糖計１２０を識別する識別情報を取得する。なお、受信した血糖値データ及び取得した識別情報は、１対１に対応付けてケーブル１４０を介して通信可能に接続された情報処理装置１１０に送信される。
【００１８】
なお、載置台１３０を設けることなく、患者に対応した血糖値データ及び識別情報を読み取るための読み取り部（不図示）を情報処理装置１１０の適所、例えば、操作部２０４の内部に実装するようにしてもよい。
【００１９】
＜２．情報処理装置の構成＞
次に、本実施形態に係る情報処理装置１１０の構成について説明する。図２は、情報処理装置１１０の構成を示す図である。
【００２０】
図２において、２０１は制御部（コンピュータ）であり、情報処理装置１１０全体の動作の判断・制御を司る。２０２はメモリであり、制御部２０１において各種プログラムが実行される際の作業領域として機能するとともに、各種プログラムが実行される際に用いられるデータの一時記憶領域として機能する。
【００２１】
２０３は記憶装置であり、医療機器（本実施形態においては血糖計１２０）において測定され、載置台１３０より送信された血糖値データ及び識別情報を管理する測定データ管理用プログラム２１１が格納されている。また、血糖計１２０により送信される血糖値データを受信し情報処理装置１１０に送信する載置台１３０との間で、通信を成立させ、該載置台１３０より血糖値データ及び識別情報を受信する通信用プログラム２１２が格納されている。更に、取得した血糖値データ及び識別情報が記憶されるデータベース２１３が格納されている。
【００２２】
なお、測定データ管理用プログラム２１１、通信用プログラム２１２及びデータベース２１３は、制御部２０１による制御のもと、適宜メモリ２０２に読み込まれ、制御部２０１によって実行または処理されるものとする。
【００２３】
２０４はキー、マウス等を含む操作部であり、情報処理装置１１０に対する各種指示を入力する。２０５は表示部であり、カラー液晶、有機ＥＬ等を用いて構成されており、制御部２０１における処理結果を表示する。
【００２４】
２０６は外部Ｉ／Ｆ部であり、情報処理装置１１０は、当該外部Ｉ／Ｆ部２０６を介して、載置台１３０との間でデータの送受信を行う。なお、上述した血糖値データ及び識別情報は、載置台１３０より、当該外部Ｉ／Ｆ部２０６を介して受信される。
【００２５】
なお、情報処理装置１１０を構成する各部（２０１〜２０６）は、バス２０７を介して相互に接続されているものとする。
【００２６】
＜３．情報処理システムにおける処理の流れ＞
次に、情報処理システム１００における処理の流れについて説明する。図３は、情報処理システム１００における処理のうち、測定データ管理用プログラム２１１を起動させてから、血糖値データ及び識別情報を取得し、データベース２１３に記憶するまでの一連の処理を示すシーケンス図である。
【００２７】
図３に示すように、ステップＳ３１１において、操作部２０４より測定データ管理用プログラム２１１の起動指示が入力され、測定データ管理用プログラム２１１が起動開始すると、ステップＳ３１２では、通信用プログラム２１２も並行して起動し、載置台１３０が通信可能に接続されているか否かを確認するための処理を実行する。具体的には、載置台１３０が通信可能に接続されているか否かを確認するための確認コマンドが載置台１３０に対して送信される。
【００２８】
情報処理装置１１０と載置台１３０とが通信可能に接続されている場合、ステップＳ３１２において送信された確認コマンドは、載置台１３０において受信される。確認コマンドを受信した載置台１３０では、ステップＳ３０１において応答処理を実行し、返信コマンドを情報処理装置１１０に送信する。
【００２９】
情報処理装置１１０では、確認コマンドを送信してから、所定時間以内（例えば、１０秒以内）に載置台１３０より返信コマンドを受信した場合には、ステップＳ３１３において、載置台１３０が通信可能に接続されていると判断し、ステップＳ３１４に進む。
【００３０】
一方、情報処理装置１１０と載置台１３０とが通信可能に接続されていない場合、情報処理装置１１０より送信された確認コマンドが載置台１３０において受信されることはない。このため、確認コマンドを送信してから、所定時間以内（例えば、１０秒以内）に載置台１３０より返信コマンドを受信することはなく、ステップＳ３１３において、情報処理装置１１０では、載置台１３０が接続されていないと判断する。この場合、ステップＳ３１２に戻り、載置台１３０が通信可能に接続されたことが確認されるまで待機する。
【００３１】
ステップＳ３１４では、通信用プログラム２１２の起動状態（血糖値データの送受信に必要な各種設定が完了したか否か）を確認する。ステップＳ３１５では、ステップＳ３１４における確認の結果、通信用プログラム２１２の起動が完了し、載置台１３０を介して医療機器より測定データ（本実施形態においては、血糖計１２０より血糖値データ）を取得・記憶することが可能な状態にあるか否かを判定する。
【００３２】
ステップＳ３１５において、通信用プログラム２１２の起動が完了していないと判定された場合には、完了するまで待機する。一方、ステップＳ３１５において、通信用プログラム２１２の起動が完了し、載置台１３０を介して血糖計１２０より血糖値データを取得・記憶することが可能な状態にあると判定された場合には、ステップＳ３１６に進み、血糖計１２０が載置台１３０に通信可能に接続された状態となるよう載置されたか否かを確認するための処理を開始する。
【００３３】
なお、この確認は、例えば、上述のデータ通信機能（例えば、ＩＳＯ／ＩＥＣ  １４４４３の省電力ＩＣ通信技術、ＩＳＯ／ＩＥＣ  １８０９２の通信技術、ＦｅｌｉＣａ（登録商標））を用いて行う。
【００３４】
ステップＳ３１７では、血糖計１２０が載置台１３０に通信可能に接続された状態となるように載置されたか否かを判定する。ステップＳ３１７において、血糖計１２０が載置台１３０に通信可能に接続された状態となるように載置されていないと判定された場合には、通信可能に接続された状態となるように載置されるまで待機する。
【００３５】
ステップＳ３０２において、医療機器（本実施形態では、血糖計１２０）が載置台１３０に通信可能に接続された状態となるように載置されると、載置台１３０ではこれを検知し、ステップＳ３０３では、情報処理装置１１０に対して、載置台１３０に血糖計１２０が通信可能に接続された状態となるように載置された旨の通知を行う。
【００３６】
載置台１３０からの当該載置通知を受け取ると、情報処理装置１１０では、ステップＳ３１７において、血糖計１２０医療機器が載置台１３０に通信可能に接続された状態となるように載置されたと判定し、ステップＳ３１８に進む。ステップＳ３１８では、載置台１３０に対して、血糖値データの読み出し指示を送信する。
【００３７】
情報処理装置１１０より血糖値データの読み出し指示が送信された載置台１３０では、当該読み出し指示を受け取ると、ステップＳ３０４において、血糖計１２０に貼付されたバーコード（識別情報）を読み出し、通信可能に接続された状態となるように載置された血糖計１２０を識別するための識別情報を取得する。更に、血糖計１２０との通信を行い、血糖計１２０より送信された血糖値データを受信する。なお、識別情報の取得は、ＲＦＩＤを用いてもよい（この場合、ＲＦＩＤリーダ／ライタを情報処理装置１１０の適所に設けておくものとする）。
【００３８】
ステップＳ３０５では、ステップＳ３０４において取得した、血糖値データ及び識別情報を情報処理装置１１０に送信する。
【００３９】
ステップＳ３１９では、情報処理装置１１０が、載置台１３０より送信された血糖値データ及び識別情報を受信し、ステップＳ３２０では、受信した識別情報に対応するデータベース２１３内の領域に、受信した血糖値データを記憶する。
【００４０】
＜４．起動時表示処理の流れ＞
次に、測定データ管理用プログラム２１１の起動指示が入力され、通信用プログラム２１２の起動が完了するまでの、表示部２０５の表示を制御する起動時表示処理の流れについて説明する。図４は、測定データ管理用プログラム２１１における起動時表示処理の流れを示すフローチャートである。図４に示す起動時表示処理は、図３のステップＳ３１１において測定データ管理用プログラム２１１の起動指示が入力されてから、ステップＳ３１５において、載置台１３０を介して血糖計１２０より血糖値データを取得・記憶することが可能な状態にあると判定されるまでの間、実行される。
【００４１】
ステップＳ４０１では、測定データ管理用プログラム２１１の初期ウィンドウ（起動時に表示されるべき表示画面）を、表示輝度を落とした低輝度表示にて、表示部２０５上に全画面表示するよう表示制御する。ステップＳ４０２では、表示部２０５の表示輝度を低輝度に維持したまま初期ウィンドウを表示するよう表示制御する。
【００４２】
ステップＳ４０３では、通信用プログラム起動状態確認処理（図３のステップＳ３１４）の結果をうけ、情報処理装置１１０が、載置台１３０を介して血糖計１２０より血糖値データを取得・記憶することが可能な状態になっているか否かを判定する。ステップＳ４０３において、載置台１３０を介して血糖計１２０より血糖値データを取得・記憶することが可能な状態になっていないと判定された場合には、載置台１３０を介して血糖計１２０より血糖値データを取得することが可能な状態になるまで待機する。
【００４３】
一方、ステップＳ４０３において、載置台１３０を介して血糖計１２０より血糖値データを取得・記憶することが可能な状態になったと判定された場合には、ステップＳ４０４に進み、ステップＳ４０２において落とした表示輝度を、元の表示輝度に戻すよう表示制御する。
【００４４】
更に、ステップＳ４０５では、ステップＳ４０１において全画面表示にて表示された測定データ管理用プログラム２１１の初期ウィンドウを、所定の画面サイズに変更するよう表示制御する。なお、所定の画面サイズとは、デフォルト値として設定されているサイズまたはユーザにより設定されたサイズである。
【００４５】
ステップＳ４０６では、操作部２０４からの入力を受け付ける受付処理を開始する。ステップＳ４０７では、操作部２０４からの入力に基づく表示処理を開始し、起動時表示処理を終了する。
【００４６】
このように、本実施形態に係る情報処理装置１１０では、測定データ管理用プログラム２１１の起動指示を受け付けてから、通信用プログラム２１２の起動が完了し、載置台１３０を介して血糖計１２０よりデータを取得・記憶することが可能な状態になったと判定されるまでの間、表示部２０５の表示輝度を落とす構成とした。これにより、ユーザは、情報処理装置１１０が、血糖計１２０の血糖値データを取得・記憶することが可能な状態にないことを容易に認識することができる。
【００４７】
このような表示制御によれば、単にエラーメッセージを表示する場合と比べて、一目で、状態を認識することができるため、ユーザが不適切なタイミングで血糖計１２０を載置台１３０に載置してしまうといった事態を回避することができる。
【００４８】
また、本実施形態に係る情報処理装置１１０では、測定データ管理用プログラム２１１の起動指示を受け付け、初期ウィンドウを表示するにあたり、全画面表示により表示する構成とした。これにより、ユーザが測定データ管理用プログラム２１１の起動指示を入力した際に、あわせて、既に起動中の他のプログラムのウィンドウを選択指示した場合であっても、測定データ管理用プログラム２１１の初期ウィンドウが、他のプログラムのウィンドウの背面に隠れてしまい、ユーザが状況を把握できないといった事態を回避することができる。つまり、測定データ管理用プログラム２１１の初期ウィンドウが、他のプログラムのウィンドウの背面に隠れてしまうことで、載置台１３０を介して血糖値データを受信することができない状態であるがために表示輝度が落とされていることを認識できないといった事態を確実に回避することができる。
【００４９】
更に、本実施形態に係る情報処理装置１１０では、測定データ管理用プログラム２１１の起動指示を受け付けてから、通信用プログラム２１２の起動が完了し、載置台１３０を介して血糖計１２０より血糖値データの取得が可能であると判定されるまでの間、初期ウィンドウに対する操作部２０４からの入力を受け付けない構成とした。これにより、情報処理装置１１０側にて、血糖値データを確実に取得できる状況が整う前に、ユーザが操作部２０４を介して次の操作を指示してしまうといった事態を回避することが可能となる。
【００５０】
＜５．実施例＞
次に、図４に示す起動時表示処理が実行された場合の、情報処理装置１１０の表示部２０５における表示例について説明する。図５は、起動時表示処理が実行された場合の、情報処理装置１１０の表示部２０５における表示例を示す図である。
【００５１】
図５の（ａ）は、測定データ管理用プログラム２１１が起動される前の表示部２０５の表示例を示している。図５（ａ）に示すように、表示部２０５には、測定データ管理用プログラム２１１を起動させるためのアイコン５０１が、表示輝度を落とした低輝度表示の状態で表示されており、指示子５０２を当該アイコン５０１上に移動させ、操作部２０４のマウスをダブルクリックすることで、測定データ管理用プログラム２１１の起動を指示することができる。
【００５２】
図５（ｂ）は、測定データ管理用プログラム２１１の起動が指示された直後の、情報処理装置１１０の表示部２０５の表示例を示している。図５（ｂ）に示すように、表示部２０５には、測定データ管理用プログラム２１１の初期ウィンドウ５０３が全画面表示されるとともに、表示部２０５全体の低輝度表示の状態が維持される。
【００５３】
図５（ｃ）は、情報処理装置１１０にて、載置台１３０を介して血糖計１２０より血糖値データの受信が可能であると判定された直後の表示例を示している。図５（ｃ）に示すように、表示部２０５の表示輝度が通常の表示輝度（元の表示輝度）に戻される。
【００５４】
図５（ｄ）は、図５（ｃ）の後の表示部２０５の表示例を示している。図５（ｄ）に示すように、表示部２０５には、測定データ管理用プログラム２１１の初期ウィンドウ５０３が、全画面表示から所定の画面サイズに変更されて表示される。また、操作部２０４による、血糖値データ及び識別情報のデータベース２１３への入力・記憶が可能となるため、測定データ管理用プログラムの初期ウィンドウ５０３にカーソル５０４が表示される。
【００５５】
以上の説明から明らかなように、本実施形態に係る情報処理装置１１０では、測定データ管理用プログラム２１１の起動指示を受け付けてから、載置台１３０を介して医療機器から測定データを取得することが可能な状態にあると判定されるまでの間、以下のように動作する構成とした。
・初期ウィンドウを全画面表示させるよう表示制御する。
・表示部２０５の表示輝度を落とすよう表示制御する。
・操作部２０４による入力ができないよう操作制御する。
【００５６】
この結果、ユーザは、情報処理装置１１０側にて、測定データを取得できる状況（血糖値データ及び識別情報のデータベース２１３への入力・記憶ができる状況）が整っていないことを確実に認識することが可能となり、誤って載置台１３０に血糖計１２０を載置してしまうといった事態を回避することが可能となる。つまり、血糖計１２０にて測定された測定データを確実に取得することができるようになる。
【００５７】
［第２の実施形態］
上記第１の実施形態では、測定データ管理用プログラム２１１の起動時の表示処理について説明したが、本発明はこれに限定されず、例えば、実行中であっても、載置台１３０を介して血糖計１２０より血糖値データ及び識別情報のデータベース２１３への入力・記憶ができない状態になった場合（例えば、情報処理装置１１０の制御部２０１が過負荷の場合）にあっては、同様の処理を実行するように構成してもよい。
【００５８】
また、上記第１の実施形態では、初期ウィンドウを全画面表示したうえで、表示部２０５の表示輝度を落とす構成としたが、本発明はこれに限定されず、例えば、所定の画面サイズにより初期ウィンドウを最前面に表示させたうえで、表示部２０５の表示輝度を落とす構成としてもよい。
【００５９】
あるいは、所定の画面サイズにより初期ウィンドウを最前面に表示させたうえで、当該初期ウィンドウのみを網掛け表示させるように構成してもよい。この場合、載置台１３０を介して血糖計１２０より血糖値データ及び識別情報のデータベース２１３への入力・記憶ができない状態にあることを報知するための表示形態は網掛け表示に限られず、他の表示形態、例えば、透過性を変えるような表示形態であってもよい。
【００６０】
また、上記第１の実施形態では、通信用プログラム２１２の起動が完了するまでの間、操作部２０４からの入力を受け付けない構成としたが、本発明はこれに限定されず、操作部２０４からの入力は受け付けるように構成してもよい。
【００６１】
また、上記第１の実施形態では、医療機器として血糖計を例に説明したが本発明はこれに限定されず、他の医療機器であってもよいことはいうまでもない。
【００６２】
また、上記第１の実施形態では、載置台の数について特に限定してなかったが、載置台の数は、１つであっても複数であってもよい。また、載置台の数が複数あった場合にあっては、全ての載置台について、医療機器の測定データを取得することが可能な状態になった場合に、起動時表示処理を終了させるように構成してもよいし、特定の載置台について、医療機器の測定データを取得することが可能な状態担った場合に、起動時表示処理を終了させるように構成してもよい。
【００６３】
また、上記第１の実施形態では、血糖計１２０から送信された血糖値データを載置台１３０にて受信する構成としたが、本発明はこれに限定されず、近距離無線通信機能を備えた他の装置にて受信する構成としてもよい。
【符号の説明】
【００６４】
１００：情報処理システム、１１０：情報処理装置、１２０：血糖計、１３０：載置台、５０１：アイコン、５０２：指示子、５０３：初期ウィンドウ、５０４：カーソル
【図１】
2013205881.tif 000003
【図２】
2013205881.tif 000004
【図３】
2013205881.tif 000005
【図４】
2013205881.tif 000006
【図５】
2013205881.tif 000007